【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
式（Ｉ）：
2017527675.tif 000001
［式中、
Ｘは、（ＣＨ２）２ＯＣ（Ｏ）ＮＨ（ＣＨ２）２ＯＣ（Ｏ）ＣＨ（ＮＣＯ）（ＣＨ２）４ＮＣＯであるか、又は少なくとも二つのイソシアネート基を含み、且つＯ、ＣＨ２Ｏ、Ｓｉ、ＮＨ、ＮＲ１１、Ｃ＝Ｏ、ＣＨ（ＯＨ）、ＮＨ、ＣＲ（ＮＣＯ）、（ＣＨ２）ｎ、若しくはＣＯ２によって中断されていてもよい、置換されていてもよいＣ１−２０アルキルであり；
Ｒは、独立して、ポリイソシアネートと、Ｏ、Ｃ＝Ｏ、Ｎ＝Ｃ＝Ｏ、ＣＨ（ＯＨ）、ＣＨ２ＯＲ１１、ＣＨ２ＳＲ１１若しくは（ＣＨ２）ｍ（ＣＦ２）ｎＣＦ３で中断されていてもよい、置換されていてもよいＣ１−２０アルキルとから選択され、但し少なくとも一つのＲが（ＣＨ２）ｍ（ＣＦ２）ｎＣＦ３であり；
ｍは、１から２０であり；
ｎは、０から２０であり；且つ
Ｒ１１は、Ｈ又は置換されていてもよいＣ１−１６アルキルである］
のＦＰＯＳＳポリイソシアネートプレポリマー。
【請求項２】
式（ＩＩ）：
2017527675.tif 000002
［式中、
Ｒ１からＲ６は、独立して、Ｈ；ＮＲ１１、Ｃ＝Ｏ、Ｃ＝Ｃ、Ｓ、ＣＯ２、Ｏ及びＣＨ（ＮＣＯ）から選択される基で中断されていてもよい、置換されていてもよいＣ１−１６アルキル；ＯＳｉＲ１２３；（ＣＨ２）ｎＯＨ；（ＣＨ２）ｎＯ（ＣＨ２）ｎＯＨ；（ＣＨ２）ｎＮＲ１１Ｒ１２；（ＣＨ２）ｎＮＨ（ＣＨ２）ｎＮＲ１１Ｒ１２；（ＣＨ２）ｎＯ（ＣＨ２）ｎ；ＮＲ１１Ｒ１２；（ＣＨ２）ｎＮＣＯ；エポキシ；式（Ｉ）の（ＣＨ２）ｎＦＰＯＳＳ、置換されていてもよいＣ１−１６アルキルアリール；置換されていてもよいアリール；置換されていてもよいポリアリール；置換されていてもよいＣ３−６脂環式基；及び置換されていてもよいＣ３−６ヘテロシクリルから選択され；
Ｒ７及びＲ８は、独立して、存在しないか、又はＮＲ１１、Ｃ＝Ｏ、Ｃ＝Ｃ、Ｓ、ＣＯ２、Ｏ及びＣＨ（ＮＣＯ）から選択される基で中断されていてもよい、置換されていてもよいＣ１−１６アルキル；Ｏ；Ｓ；ＯＳｉ（Ｒ１３）２；（ＣＨ２）ｎ；（ＣＨ２）ｎＮＨ；（ＣＨ２）ｎＯ；置換されていてもよいＣ１−１６アルキルアリール；置換されていてもよいアリール；置換されていてもよいポリアリール；置換されていてもよいＣ３−６脂環式基；及び置換されていてもよいＣ３−６ヘテロシクリルからなる群より選択され；
Ｒ９及びＲ１０は、独立して、Ｈ、ＯＨ、ＮＲ１１Ｒ１２、置換されていてもよいＣ１−１６アルキル、ＮＣＯ、エポキシ、Ｓｉ（Ｒ１３）３及び式（Ｉ）のＦＰＯＳＳからなる群より選択され；
Ｒ１１及びＲ１２は、独立して、Ｈ及び置換されていてもよいＣ１−１６アルキルからなる群より選択され；
Ｒ１３は、置換されていてもよいＣ１−１６アルキル、（ＣＨ２）ｎＯＨ及び（ＣＨ２）ｎＮＨ２からなる群より選択され；
ｎは、１から１６であり；
ｘ及びｚは、独立して、１から１５００から選択され；且つ
ｙは、０から１５００であり、
但し、Ｒ１からＲ６、Ｒ９及びＲ１０のうちの少なくとも一つが、式（Ｉ）のＦＰＯＳＳポリイソシアネートプレポリマーであり、ここで式（Ｉ）のＦＰＯＳＳポリイソシアネートプレポリマーが：
2017527675.tif 000003
［式中、
Ｘは、（ＣＨ２）２ＯＣ（Ｏ）ＮＨ（ＣＨ２）２ＯＣ（Ｏ）ＣＨ（ＮＨＣＯＹ）（ＣＨ２）４ＮＨＣＯＹ’、（ＣＨ２）ｎＯＹ、（ＣＨ２）ｎＮＨＹ又はＯ、ＣＨ２Ｏ、Ｓｉ、ＮＨ、ＮＲ１１、Ｃ＝Ｏ、ＣＨ（ＯＨ）、ＮＨ、ＣＲ（ＮＣＯ）、（ＣＨ２）ｎ又はＣＯ２で中断されていてもよい、置換されていてもよい（ＣＨ２）ｍＹであり；
Ｙ及びＹ’が、式（Ｉ）のＦＰＯＳＳポリイソシアネートプレポリマーが式（ＩＩ）の同じ又は異なるＦＰＯＳＳシロキサンプレポリマーに結合できる位置を示し、Ｒ、ｍ、ｎ及びＲ１１が式（Ｉ）に定義されている通りであり；
Ｒは、独立して、ポリイソシアネートと、Ｏ、Ｃ＝Ｏ、Ｎ＝Ｃ＝Ｏ、ＣＨ（ＯＨ）、ＣＨ２ＯＲ１１、若しくは（ＣＨ２）ｍ（ＣＦ２）ｎＣＦ３で中断されていてもよい、置換されていてもよいＣ１−２０アルキルとから選択され、但し少なくとも一つのＲは（ＣＨ２）ｍ（ＣＦ２）ｎＣＦ３であり；
ｍは１から２０であり；且つ
ｎは０から２０である］
のＦＰＯＳＳシロキサンプレポリマー。
【請求項３】
式（Ｉ）のＦＰＯＳＳプレポリマーが、Ｙ位置において式（ＩＩ）の第１のシロキサンプレポリマーに結合しており、Ｙ’位置において式（ＩＩ）の第２のシロキサンプレポリマーに結合しており、式（Ｉ）のＦＰＯＳＳプレポリマーと式（ＩＩ）のシロキサンプレポリマーの比が、好ましくはそれぞれ約１：２から１４：１５である、請求項２に記載のＦＰＯＳＳシロキサンプレポリマー。
【請求項４】
以下の架橋反応生成物：
（ｉ）請求項１に記載の式（Ｉ）のＦＰＯＳＳポリイソシアネートプレポリマーと反応性コーティング；
（ｉｉ）請求項１に記載の式（Ｉ）のＦＰＯＳＳポリイソシアネートプレポリマーと、式（ＩＩＩ）：
2017527675.tif 000004
［式中、
Ｒ１４からＲ１９は、独立して、水素；ＮＲ２４、Ｃ＝Ｏ、Ｃ＝Ｃ、Ｓ、ＣＯ２、Ｏ及びＣＨ（ＮＣＯ）から選択される基で中断されていてもよい、置換されていてもよいＣ１−１６アルキル；ＯＳｉＲ２５３；（ＣＨ２）ｎＯＨ；（ＣＨ２）ｎＯ（ＣＨ２）ｎＯＨ；（ＣＨ２）ｎＮＲ２４Ｒ２５；（ＣＨ２）ｎＮＨ（ＣＨ２）ｎＮＲ２４Ｒ２５；（ＣＨ２）ｎＯ（ＣＨ２）ｎＮＲ２４Ｒ２５；（ＣＨ２）ｎＮＣＯ；エポキシ；置換されていてもよいＣ１−１６アルキルアリール；置換されていてもよいアリール；置換されていてもよいポリアリール；置換されていてもよいＣ３−６  脂環式基；及び置換されていてもよいＣ３−６ヘテロシクリルからなる群より選択され；
Ｒ２０及びＲ２１は、独立して、存在しないか、又はＮＲ２４、Ｃ＝Ｏ、Ｃ＝Ｃ、Ｓ、ＣＯ２、Ｏ及びＣＨ（ＮＣＯ）から選択される基で中断されていてもよい、置換されていてもよいＣ１−１６アルキル；Ｏ；Ｓ；ＯＳｉ（Ｒ２６）２；（ＣＨ２）ｎ；（ＣＨ２）ｎＮＨ；（ＣＨ２）ｎＯ；置換されていてもよいＣ１−１６アルキルアリール；置換されていてもよいアリール；置換されていてもよいポリアリール；置換されていてもよいＣ３−６脂環式基；及び置換されていてもよいＣ３−６ヘテロシクリルからなる群より選択され；
Ｒ２２及びＲ２３は、独立して、Ｈ、ＯＨ、ＮＲ１１Ｒ１２、置換されていてもよいＣ１−１６アルキル、ＮＣＯ、エポキシ及びＳｉ（Ｒ１３）３からなる群より選択され；
Ｒ２４及びＲ２５は、独立して、Ｈ及び置換されていてもよいＣ１−１６アルキルからなる群より選択され；
Ｒ２６は、置換されていてもよいＣ１−１６アルキル、（ＣＨ２）ｎＯＨ及び（ＣＨ２）ｎＮＨ２からなる群より選択され；
ｎは、１から１６であり；
ｐ及びｒは、独立して、１から１５００から選択され；
ｑは、０から１５００である］
のポリシロキサンの一又は複数と、任意選択的にポリオール、ポリアミン、ポリイソシアネート、及び反応性コーティングのうちの少なくとも一つ；又は
（ｉｉｉ）請求項２に記載の式（ＩＩ）のＦＰＯＳＳシロキサンプレポリマーと、任意選択的にポリオール、ポリアミン、ポリイソシアネート、請求項１に記載の式（Ｉ）のＦＰＯＳＳポリイソシアネートプレポリマー、請求項４に記載の式（ＩＩＩ）のポリシロキサン、及び反応性コーティングのうちの少なくとも一つ
を含むポリマー。
【請求項５】
（ｉｉ）に関し、式（Ｉ）のＦＰＯＳＳプレポリマーが、Ｙ位置において式（ＩＩＩ）の第１のポリシロキサンに結合しており、Ｙ’位置において式（ＩＩＩ）の第２のポリシロキサンに結合しており、式（Ｉ）のＦＰＯＳＳプレポリマーと式（ＩＩＩ）のポリシロキサンの比が、好ましくはそれぞれ約１：２から１４：１５である、請求項４に記載のポリマー。
【請求項６】
ポリイソシアネートが、ジイソシアネート、トリイソシアネート、より高い官能性のイソシアネート又はこれらの組み合わせである、請求項４または５に記載のポリマー。
【請求項７】
ポリイソシアネートが、ポリマーの総重量に基づき０．１〜７０重量％の量で存在する、請求項４から６のいずれか一項に記載のポリマー。
【請求項８】
ポリオール又はポリアミンが、ポリエステルポリオール／ポリアミン、ポリエーテルポリオール／ポリアミン、ポリカーボネートポリオール／ポリアミン、アクリルポリオール／ポリアミン又はこれらの組み合わせである、請求項４から７のいずれか一項に記載のポリマー。
【請求項９】
ポリアミンが、ポリマーの総重量に基づき０〜９９重量％の量で存在する、請求項４から８のいずれか一項に記載のポリマー。
【請求項１０】
反応性コーティングが、ポリウレタン、ポリウレア、ポリシリコーン、ポリエステル又はエポキシのコーティングであり、これらの各々がポリイソシアネート及び／又はポリオール若しくはポリアミンを含む、請求項４から９のいずれか一項に記載のポリマー。
【請求項１１】
請求項４に記載のポリマーを含む氷低減ポリマー。
【請求項１２】
請求項４から１０のいずれか一項に記載のポリマー、溶媒、及び任意選択的添加剤を含むポリマー製剤。
【請求項１３】
溶媒が、（ａ）エステルベースの溶媒；（ｂ）ケトン；（ｃ）芳香族；（ｄ）エーテル；及び（ｅ）ハロゲン系溶媒又はこれらの組み合わせから選択される、請求項１２に記載のポリマー製剤であって、エステルベースの溶媒が、プロピオン酸アルキル、アルコキシプロピオネート、アルキルアルコキシプロピオネート、アルキルアセテート、アルキルアルコキシアセテート、エチルアセテート、プロピルアセテート、イソプロピルアセテート、ブチルアセテート、イソブチルアセテート、三級ブチルアセテート及びグリコールエーテルアセテートから選択される；又はケトン溶媒が、メチルエチルケトン、メチルプロピルケトン、メチルアミルケトン、メチルイソアミルケトン及びメチルイソブチルケトン、アセトン、ペンタノン、ブタノン及び２−ヘプタノンから選択される、ポリマー製剤。
【請求項１４】
任意選択的添加剤が、硬化剤、架橋剤、触媒、フィラー、顔料又はその他着色剤、強化剤、チキソトロープ剤、促進剤、界面活性剤、可塑剤、増量剤、安定剤、腐食抑制剤、ヒンダードアミン光安定剤、紫外線吸収剤、抗酸化剤又はこれらの組み合わせである、請求項１２または１３に記載のポリマー製剤。
【請求項１５】
請求項４に記載のポリマー又は請求項１２に記載のポリマー製剤を含むコーティング。
【請求項１６】
外表面の少なくとも一部が請求項１５に記載のコーティングでコーティングされた外表面を含む物体であって、ポリマーでコーティングされた外表面が本明細書に記載の凍着試験方法を受けるときに＜５Ｎの平均接着力を有する、物体。
【請求項１７】
物体の外表面の少なくとも一部に対して氷低減特性を付与する方法であって、請求項１５に記載のコーティングを外表面の一部に適用することを含む、方法。